【手続補正書】
【提出日】平成19年10月24日(2007.10.24)
【手続補正１】
【補正対象書類名】特許請求の範囲
【補正対象項目名】全文
【補正方法】変更
【補正の内容】
【特許請求の範囲】
【請求項１】
メタデータとメディアデータとを有するフラグメントムービー形式のデータファイルを編集するためのデータファイルの編集方法であって、
前記データファイルの構造を解析する解析工程と、
該解析工程におけるデータファイルの解析の結果に基づいて、前記メディアデータの符号化形式における編集単位であるフラグメントを単位として編集を行なう編集工程と、
を具備することを特徴とするデータファイルの編集方法。
【請求項２】
前記メタデータとメディアデータとを有するフラグメントムービー形式のデータファイルとは、ＭＰ４あるいは類似のファイル形式におけるフラグメントムービー形式のデータファイルであることを特徴とする請求項１に記載のデータファイルの編集方法。
【請求項３】
前記編集工程では、編集対象のデータファイルの内容をフラグメント単位で削除し、残りのフラグメントを出力ファイルに出力することによりカット編集を行うことを特徴とする請求項１に記載のデータファイルの編集方法。
【請求項４】
前記編集工程では、編集対象のデータファイルの内容と追加データを含む追加ファイルの内容をフラグメント単位で出力ファイルに出力することにより編集処理を行うことを特徴とする請求項１に記載のデータファイルの編集方法。
【請求項５】
前記編集工程では、前記解析工程において解析された前記編集対象のデータファイルおよび前記追加ファイルが編集を行える構造を有しているかを判断し、編集可能な構造である場合に編集を行うことを特徴とする請求項４に記載のデータファイルの編集方法。
【請求項６】
前記編集工程では、データファイルが編集を行える構造を有しているかを示す識別情報が、前記編集対象のデータファイルおよび追加ファイルにあるかを判断し、前記識別情報がある場合に編集を行うことを特徴とする請求項５に記載のデータファイルの編集方法。
【請求項７】
前記編集工程では、前記フラグメントの編集後のオフセット位置をメタデータとして設定することを特徴とする請求項１に記載のデータファイルの編集方法。
【請求項８】
前記編集工程では、前記フラグメントのメタデータの形式を変換することを特徴とする請求項１に記載のデータファイルの編集方法。
【請求項９】
メタデータとメディアデータとを有するフラグメントムービー形式のデータファイルを編集するためのデータファイルの編集装置であって、
前記データファイルの構造を解析する解析手段と、
該解析手段によるデータファイルの解析の結果に基づいて、前記メディアデータの符号化形式における編集単位であるフラグメントを単位として編集を行なう編集手段と、
を具備することを特徴とするデータファイルの編集装置。
【請求項１０】
請求項１乃至８のいずれか１項に記載のデータファイルの編集方法をコンピュータに実行させることを特徴とする制御プログラム。
【請求項１１】
請求項１０に記載の制御プログラムがコンピュータが読み取り可能に記憶されたことを特徴とする記憶媒体。
【手続補正２】
【補正対象書類名】明細書
【補正対象項目名】００２６
【補正方法】変更
【補正の内容】
【００２６】
上述した課題を解決し、目的を達成するために、本発明に係わるデータファイルの編集方法は、メタデータとメディアデータとを有するフラグメントムービー形式のデータファイルを編集するためのデータファイルの編集方法であって、前記データファイルの構造を解析する解析工程と、該解析工程におけるデータファイルの解析の結果に基づいて、前記メディアデータの符号化形式における編集単位であるフラグメントを単位として編集を行なう編集工程と、を具備することを特徴とする。
【手続補正３】
【補正対象書類名】明細書
【補正対象項目名】００２７
【補正方法】変更
【補正の内容】
【００２７】
また、この発明に係わるデータファイルの編集方法において、前記メタデータとメディアデータとを有するフラグメントムービー形式のデータファイルとは、ＭＰ４あるいは類似のファイル形式におけるフラグメントムービー形式のデータファイルであることを特徴とする。
【手続補正４】
【補正対象書類名】明細書
【補正対象項目名】００２９
【補正方法】変更
【補正の内容】
【００２９】
また、この発明に係わるデータファイルの編集方法において、前記編集工程では、編集対象のデータファイルの内容と追加データを含む追加ファイルの内容をフラグメント単位で出力ファイルに出力することにより編集処理を行うことを特徴とする。
【手続補正５】
【補正対象書類名】明細書
【補正対象項目名】００３２
【補正方法】変更
【補正の内容】
【００３２】
また、この発明に係わるデータファイルの編集方法において、前記編集工程では、前記フラグメントの編集後のオフセット位置をメタデータとして設定することを特徴とする。
【手続補正６】
【補正対象書類名】明細書
【補正対象項目名】００３３
【補正方法】変更
【補正の内容】
【００３３】
また、この発明に係わるデータファイルの編集方法において、前記編集工程では、前記フラグメントのメタデータの形式を変換することを特徴とする。
【手続補正７】
【補正対象書類名】明細書
【補正対象項目名】００３４
【補正方法】削除
【補正の内容】
【手続補正８】
【補正対象書類名】明細書
【補正対象項目名】００３５
【補正方法】削除
【補正の内容】
【手続補正９】
【補正対象書類名】明細書
【補正対象項目名】００３６
【補正方法】削除
【補正の内容】
【手続補正１０】
【補正対象書類名】明細書
【補正対象項目名】００３７
【補正方法】削除
【補正の内容】
【手続補正１１】
【補正対象書類名】明細書
【補正対象項目名】００３８
【補正方法】削除
【補正の内容】
【手続補正１２】
【補正対象書類名】明細書
【補正対象項目名】００３９
【補正方法】変更
【補正の内容】
【００３９】
また、本発明に係わるデータファイルの編集装置は、メタデータとメディアデータとを有するフラグメントムービー形式のデータファイルを編集するためのデータファイルの編集装置であって、前記データファイルの構造を解析する解析手段と、該解析手段によるデータファイルの解析の結果に基づいて、前記メディアデータの符号化形式における編集単位であるフラグメントを単位として編集を行なう編集手段と、を具備することを特徴とする。
【手続補正１３】
【補正対象書類名】明細書
【補正対象項目名】００４０
【補正方法】削除
【補正の内容】
【手続補正１４】
【補正対象書類名】明細書
【補正対象項目名】００４１
【補正方法】削除
【補正の内容】
【手続補正１５】
【補正対象書類名】明細書
【補正対象項目名】００４２
【補正方法】削除
【補正の内容】
【手続補正１６】
【補正対象書類名】明細書
【補正対象項目名】００４３
【補正方法】削除
【補正の内容】
【手続補正１７】
【補正対象書類名】明細書
【補正対象項目名】００４４
【補正方法】削除
【補正の内容】
【手続補正１８】
【補正対象書類名】明細書
【補正対象項目名】００４５
【補正方法】削除
【補正の内容】
【手続補正１９】
【補正対象書類名】明細書
【補正対象項目名】００４６
【補正方法】削除
【補正の内容】
【手続補正２０】
【補正対象書類名】明細書
【補正対象項目名】００４７
【補正方法】削除
【補正の内容】
【手続補正２１】
【補正対象書類名】明細書
【補正対象項目名】００４８
【補正方法】削除
【補正の内容】
【手続補正２２】
【補正対象書類名】明細書
【補正対象項目名】００４９
【補正方法】削除
【補正の内容】
【手続補正２３】
【補正対象書類名】明細書
【補正対象項目名】００５０
【補正方法】削除
【補正の内容】
【手続補正２４】
【補正対象書類名】明細書
【補正対象項目名】００５１
【補正方法】削除
【補正の内容】
【手続補正２５】
【補正対象書類名】明細書
【補正対象項目名】００５３
【補正方法】変更
【補正の内容】
【００５３】
また、本発明に係わる記憶媒体は、上記の制御プログラムがコンピュータが読み取り可能に記憶されたことを特徴とする。